(57)【特許請求の範囲】
【請求項１】
少なくとも容器本体と、該容器本体の外側を覆うように貼着されて一体として組み合わされた外装体とからなる容器であって、
前記容器本体の胴部外側周壁もしくは前記外装体の内面に隠蔽情報層を形成し、前記外装体に設けた開口開始手段としての摘み部から切れ目線に沿って開口することにより、開口後、前記容器本体の胴部外側周壁もしくは前記外装体の内面に設けられた前記隠蔽情報を容易に視認することができ、
前記容器本体が、紙基材もしくはプラスチックフィルム基材からなり、
前記外装体が、紙基材もしくはプラスチックフィルム基材からなり、
前記外装体の前記切れ目線は、前記容器の開口部下側全周に設けられた切れ目線、または、前記容器の底部上側全周に設けられた切れ目線を含むことを特徴とする隠蔽情報
付き容器。
【請求項２】
前記隠蔽情報が、文字、数字、ＱＲコード（登録商標）等の２次元バーコードから選ばれる１以上からなることを特徴とする請求項１に記載の隠蔽情報付き容器。
【請求項３】
前記隠蔽情報が、シリアル情報であることを特徴とする請求項１に記載の隠蔽情報付き容器。
【請求項４】
前記切れ目線が、ミシン目線もしくはハーフカット線からなることを特徴とする請求項１〜３のいずれか１項に記載の隠蔽情報付き容器。
【請求項５】
前記開口開始手段としての摘み部から切れ目線に沿って容器本体の開口部方向と底部方向に外装体が漸次広がるように開口領域を形成することを特徴とする請求項１〜４のいずれか１項に記載の隠蔽情報付き容器。
【請求項６】
前記開口開始手段としての摘み部から切れ目線に沿って容器本体の開口部下側の外装体もしくは容器本体の底部上側の外装体に沿って外装体が漸次広がるように開口領域を形成することを特徴とする請求項１〜４のいずれか１項に記載の隠蔽情報付き容器。
【請求項７】
前記容器本体が紙製容器本体と、該紙製容器本体の外側を覆うように貼着されて一体と
して組み合わされた前記外装体が紙製外装体とからなることを特徴とする請求項１〜６のいずれか１項に記載の隠蔽情報付き容器。
【発明の詳細な説明】
【技術分野】
【０００１】
本発明は、容器本体とその胴部外側に貼着される外装体から構成される容器であって、懸賞応募、真贋判定、流通経路把握、および抽選番号などとして景品提供を行うことで販売促進等に用いることができる隠蔽情報付き容器に関するものである。そして、この容器は、熱湯を注いで調理するインスタント食品等の断熱性容器としても用いられる。
【背景技術】
【０００２】
従来、隠蔽情報を備えたものとして、例えば、特許文献１において、図９（ａ）で示すように、複数枚の折り畳んだテッシュペーパー７１を合成樹脂フィルム７２により一体に包装し、前記合成樹脂フィルム７２の所要個所にミシン目状等の開口線７３を形成し、前記合成樹脂フィルム７２の内面における開口線７３近傍に，当たりくじやくじの等級等の表示７４を合成樹脂フィルム７２外部から見えないように施した携帯用テッシュペーパー状くじ７０が考案されている。図９（ｂ）に、図９（ａ）に示す前記携帯用テッシュペーパー状くじ７０の状態から、図９（ｂ）で示すように、開口線７３を切離して、合成樹脂フィルム７２内面の開口線７３近傍に施した表示７４により、当たりくじやくじの等級当を判断し、その後、携帯用テッシュペーパーとして使用する携帯用テッシュペーパー状くじ７０′の斜視図を示してある。
【０００３】
上記の携帯用テッシュペーパー状くじ７０は、くじによる抽選では、くじを抽選者に配るだけで、抽選は抽選者自身がフィルムの開口線を切り離して表示を見ることにより、各抽選者が個人個人で行うため、従来の抽選器を用いた抽選のように係員が付き添って抽選者一人づつに抽選させる必要がなく、抽選に時間がかからず、くじに当選した人のみが商品を交換し、当選しなかった人は参加賞として、はずれたくじ、すなわち、携帯用テッシュペーパーを持ち帰ればよく、抽選会場が混雑することもなく、大売出しの客寄せや、販売促進のために行われる福引や抽選会等に使用するものである。
【０００４】
一方、従来から、食品等の包装分野においては、食品等の内容物の販売促進を目的に、食品等の内容物を包装する包装体などに懸賞機能を付与する手段が用いられている。この手段の一つとしては、例えば、隠蔽性を有する包装体内に、カップ状容器内に当たり券等を収納し、カップ状容器を開封して、隠蔽情報としての「当たり外れ」等の情報を確認できるようになっている。この場合、当たり券は別途用意する必要があると共にこれをカップ状容器内に入れる作業が必要となるなど、結構手間がかかるという問題がある。
【０００５】
また、菓子や食品分野で包装容器に個別の情報を印字して購買証明等とする手法は、広く行われている。図６で示すように、一般紙器類では、紙器箱４０の内面へ個別情報３０の印字、また、図７で示すように、軟包装袋では袋５０の内側へ個別情報３０の印字、さらには、図８で示すように、飲料缶６０などに、二重シールで個別情報３０を隠蔽した個別情報隠蔽ラベル６０ａなどを貼付する手法が取られている。個別情報３０とは、数桁から十数桁の数字であったり、携帯電話で読み取ることができるＱＲコード（登録商標）等の二次コードであることが多い。
【０００６】
しかしながら、特に食品等の包装分野において熱湯を注いで調理するインスタント食品等の容器の場合、容器内面に印刷インキ層からなる個別情報を設けることは印刷インキ層からの残留溶剤やインキ成分が食品に溶出する等の衛生・安全性上の問題である。
【０００７】
下記に公知文献を記す。
【特許文献１】実開昭６１−９７１６２号公報
【発明の開示】
【発明が解決しようとする課題】
【０００８】
本発明は、上記の諸問題点を解決するためになされたものであって、衛生性、安全性に優れる、懸賞応募、真贋判定、流通経路把握、および抽選番号などとして景品提供を行うことで販売促進等に用いることができる隠蔽情報付き容器を提供することを主課題とし、さらに、前記容器を、熱湯を注いで調理するインスタント食品等の断熱性容器として提供することも課題とする。
【課題を解決するための手段】
【０００９】
上記の課題を解決する手段として、すなわち、
請求項１に係る発明は、少なくとも容器本体と、該容器本体の外側を覆うように貼着されて一体として組み合わされた外装体とからなる容器であって、
前記容器本体の胴部外側周壁もしくは前記外装体の内面に隠蔽情報層を形成し、前記外装体に設けた開口開始手段としての摘み部から切れ目線に沿って開口することにより、開口後、前記容器本体の胴部外側周壁もしくは前記外装体の内面に設けられた前記隠蔽情報を容易に視認することができ、
前記容器本体が、紙基材もしくはプラスチックフィルム基材からなり、
前記外装体が、紙基材もしくはプラスチックフィルム基材からなり、
前記外装体の前記切れ目線は、前記容器の開口部下側全周に設けられた切れ目線、または、前記容器の底部上側全周に設けられた切れ目線を含むことを特徴とする隠蔽情報
付き容器である。
【００１０】
削除。
【００１１】
削除。
【００１２】
請求項２に係る発明は、前記隠蔽情報が、文字、数字、ＱＲコード（登録商標）等の２次元バーコードから選ばれる１以上からなることを特徴とする請求項１に記載の隠蔽情報付き容器である。
【００１３】
請求項３に係る発明は、前記隠蔽情報が、シリアル情報であることを特徴とする請求項１に記載の隠蔽情報付き容器である。
【００１４】
請求項４に係る発明は、前記切れ目線が、ミシン目線もしくはハーフカット線からなることを特徴とする請求項１〜３のいずれか１項に記載の隠蔽情報付き容器である。
【００１５】
請求項５に係る発明は、前記開口開始手段としての摘み部から切れ目線に沿って容器本体の開口部方向と底部方向に外装体が漸次広がるように開口領域を形成することを特徴とする請求項１〜４のいずれか１項に記載の隠蔽情報付き容器である。
【００１６】
請求項６に係る発明は、前記開口開始手段としての摘み部から切れ目線に沿って容器本体の開口部下側もしくは容器本体の底部上側に沿って外装体が漸次広がるように開口領域
を形成することを特徴とする請求項１〜４のいずれか１項に記載の隠蔽情報付き容器である。
【００１７】
請求項７に係る発明は、前記容器本体が紙製容器本体と、該紙製容器本体の外側を覆うように貼着されて一体として組み合わされた前記外装体が紙製外装体とからなることを特徴とする請求項１〜６のいずれか１項に記載の隠蔽情報付き容器である。
【発明の効果】
【００１８】
本発明により、切れ目線で開口領域を形成したので、外装体を容器本体に安定して貼着して形成することができる。また、容器本体の胴部外側周壁もしくは外装体の内面に隠蔽情報を設けるので、当たり券等を別途用意する必要もなく、容器内に入れるという作業も排除できる。さらに、開口領域を開口開始手段としての摘み部から切れ目線に沿って容易に開口することができて容器本体の胴部外側周壁もしくは外装体の内面に設けた隠蔽情報を容易に確認することができる。これにより、懸賞応募、真贋判定、流通経路把握、および抽選番号等として景品提供を行うことで販売促進等に用いることができる隠蔽情報付き容器を提供できる。
【００１９】
前記容器本体を紙製容器本体と、この紙製容器本体の外側を覆うように貼着されて一体として組み合わされた前記外装体を紙製外装体とすることで、熱湯を注いで調理するインスタント食品等の断熱性容器として提供することもできる。
【００２０】
さらに、また本発明による隠蔽情報付き容器は、材料に紙を使用することにより、使用後は紙製品として廃棄され、また、減容化が容易であるので廃棄処理性が良好であり、さらに、リサイクルも可能であるので、環境負荷の低減に貢献することができる。
【発明を実施するための最良の形態】
【００２１】
以下、本発明の実施形態の一例として紙製断熱カップを例示して本発明の隠蔽情報付き容器について図面を参照して説明する。図１（ａ）は、本発明の隠蔽情報付き容器の一参考例を図解的に示す外観斜視図であって、同図（ｂ）は、開口開始手段としての摘み部から切れ目線に沿って開口して開口領域を形成し、紙製外装体の開口領域内面に設けた一参考例としての隠蔽情報が容易に視認される状態を示す外観斜視図である。図２は、図１、３、又は４で示す本発明の隠蔽情報付き容器の参考例又は実施例の図解的に示す断面図である。図３（ａ）は、本発明の隠蔽情報付き容器の一実施例を図解的に示す外観斜視図であって、同図（ｂ）は、開口開始手段としての摘み部から切れ目線に沿って開口して開口領域を形成し、紙製外装体の開口領域内面に設けた一実施例としての隠蔽情報が容易に視認される状態を示す外観斜視図である。図４（ａ）は、本発明の隠蔽情報付き容器のさらに別の実施例を図解的に示す外観斜視図であって、同図（ｂ）は、開口開始手段としての摘み部から切れ目線に沿って開口して開口領域を形成し、紙製外装体の開口領域内面に設けた一実施例としての隠蔽情報が容易に視認される状態を示す外観斜視図である。図５は、図１で示す本発明の隠蔽情報付き容器の一参考例に用いる紙製外装体の展開ブランク板を概略的に示す平面図である。
【００２２】
図１（ａ）で示すように、本発明の一参考例の隠蔽情報付き容器１Ａは、カップ状紙製容器本体１０と、この紙製容器本体１０の胴部１０ａ外側周壁を覆うように、前記紙製容器本体１０の外巻開口縁部からなるフランジ部１０ｂ下端の貼着部（図示せず）と紙製容器本体１０の底部１０ｃ外側周壁の貼着部（図示せず）に貼着された一体に組み合わされた紙製外装体２０とからなり、紙製外装体２０の内面と紙製容器本体１０の胴部１０ａ外側周壁との間に断熱空間が形成された２層構成の隠蔽情報付き容器であって、さらに、紙製外装体２０の上端縁の所要位置から底部方向に向かう所要位置まで「く」の字状に複数条の切れ目線２０ｂ，２０ｂが設けられ、「く」の字先端に開口開始手段としての摘み部
２０ａが区画形成されている。そして、前記複数条の切れ目線２０ｂ，２０ｂで区画される開口領域となる紙製外装体２０の内面に隠蔽情報３０が設けられている。
【００２３】
図１（ｂ）で示すように、前記紙製外装体２０に設けた開口先端に設けられた摘み部２０ａから切れ目線２０ｂ，２０ｂに沿って開口することにより、開口後、紙製外装体２０の内面に設けられた開口領域２０ｃの前記隠蔽情報３０を容易に視認することができる。紙製容器本体１０の胴部外側周壁１０ａと紙製外装体２０の内側側壁との間に空間を設けることによって、断熱効果を高めると共に、摘み部２０ａから複数条の切れ目線２０ｂ，２０ｂに沿って開口し易くなり、容易に開口領域２０ｃを形成することができ隠蔽情報３０を容易に視認できるという効果もある。尚、図１では、前記紙製外装体２０の内面に隠蔽情報３０を設けた場合を例示したが、隠蔽情報３０は、前記紙製容器本体１０の胴部１１ａ外側周壁に設けてもよい。
【００２４】
また、本発明の一実施例としての隠蔽情報付き容器を図３に示す。同図（ａ）は、紙製外装体の未開口状態を示す外観斜視図であり、（ｂ）は、開口開始手段としての摘み部から切れ目線に沿って開口して開口領域を形成し、紙製外装体の開口領域内面に設けた隠蔽情報が容易に視認される紙製外装体の開口状態を示す外観斜視図である。この隠蔽情報付き容器は、容器本体１０と、この容器本体１０の外側を覆うように貼着されて一体として組み合わされた外装体２０とからなる容器であって、前記容器本体１０の胴部外側周壁もしくは前記外装体２０の内面に隠蔽情報層３０を形成し、前記外装体２０に設けた開口開始手段としての摘み部２０ａから切れ目線２０ｂと容器の開口部下側外装体に設けた切れ目線２０ｅに沿って外装体が漸次広がるように開口領域を形成する隠蔽情報付き容器１Ｂである。
【００２５】
さらに、本発明の実施例としての隠蔽情報付き容器を図４に示す。同図（ａ）は、紙製外装体の未開口状態を示す外観斜視図であり、（ｂ）は、開口開始手段としての摘み部から切れ目線に沿って開口して開口領域を形成し、紙製外装体の開口領域内面に設けた隠蔽情報が容易に視認される紙製外装体の開口状態を示す外観斜視図である。この隠蔽情報付き容器は、容器本体１０と、この容器本体１０の外側を覆うように貼着されて一体として組み合わされた外装体２０とからなる容器であって、前記容器本体１０の胴部外側周壁もしくは前記外装体２０の内面に隠蔽情報層３０を形成し、前記外装体２０に設けた開口開始手段としての摘み部２０ａから切れ目線２０ｂと容器の底部上側外装体に設けた切れ目線２０ｆに沿って外装体が漸次広がるように開口領域を形成する隠蔽情報付き容器１Ｃである。
【００２６】
上記の容器の開口部下側外装体もしくは容器の底部上側外装体に設ける上記の切れ目線を容器開口部下側外装体もしくは底部上側外装体全周に設けることもできる。このように切れ目線を設けることにより、外装体を容器本体から取り外すこともできる。
【００２７】
尚、本発明の実施形態の一例として紙製断熱カップを例示したが、本発明における容器本体は、紙基材以外にもプラスチックフィルム基材を使用することができる。また、本発明における外装体は、紙基材以外にもプラスチックフィルム基材を使用することができる。
【００２８】
上記の本発明の隠蔽情報付き容器１の参考例又は実施例の断面を図２に図解的に示す。この紙製容器１は、一方の面にポリエチレン樹脂層を形成した略扇形状のポリエチレン塗工紙を前記ポリエチレン樹脂層面が内側となるように端縁を重ね合わせて接合して断面が台形状の筒状となした胴部１０ａ材の大きい方の開口部の周縁を外側にカールさせて外巻開口縁部からなるフランジ部１０ｂを形成すると共に、小さい方の開口部に一方の面にポリエチレン樹脂層を形成した円形状のポリエチレン塗工紙を前記ポリエチレン樹脂層が凸
側の面となるように成形した周壁を備えた断面がコの字形状の底材１０ｄを挿入し、胴部１０ａ材の小さい方の開口部の端縁を前記底材１０ｄの周壁を被覆して熱接着した有底状の紙製容器本体１０と、大きい方の開口部の周縁を内側に折り込む所定の幅の内側折込部２０ｄを延設してなる略扇形状の厚紙の前記内側折込部２０ｄを内側に折込み、両端縁を重ね合わせて接合して断面が台形状の筒状になすと共に、前記紙製容器本体１０の外巻開口縁部からなるフランジ部１１ｂ下端外周壁と前記内側折込部２０ｄと、さらに前記紙製容器本体１０の底部１０ｃ外側周壁と紙製外装体２０の小さい方の開口部端縁で熱接着して、前記紙製容器本体１０と紙製外装体２０とを一体に組み合わせて紙製外装体２０の内面と紙製容器本体１０の胴部１０ａ外側周壁との間に断熱空間が形成された２層構成の隠蔽情報付き容器したものである。
【００２９】
本発明における紙製容器本体１０の材料としては、紙を基材層として少なくとも内面にポリオレフィン系樹脂を積層した積層体を使用している。紙としては主にカップ原紙を使用し、その坪量は、１５０〜４５０ｇ／ｍ２程度である。そのカップ原紙の内面には、２０〜８０μｍの範囲で低密度ポリエチレン樹脂、中密度ポリエチレン樹脂、高密度ポリエチレン樹脂、線状低密度ポリエチレン樹脂等のポリオレフィン系樹脂層が押出しコートされて形成される。このポリオレフィン系樹脂層は、内容物の板紙への浸透防止、内容物保護適性の向上の他に、カップ成形性をよくし、蓋材（図示せず）のヒートシールによる封緘性をも良好にする効果をもたらしている。
【００３０】
図５は、本発明の隠蔽情報付き容器の一参考例１Ａに用いる紙製外装体２０を展開したブランク板を概略的に示す展開図であって、このブランク板２０は、大きい方の開口部の周縁を内側に折り込む所定の幅の内側折込部２０ｄ延設してなる略扇形状の厚紙からなり、前記ブランク板２０′の一方の大きい方の開口部の端縁の所要位置から他方の小さい方の開口部の端縁に向かう所要位置まで「逆く」の字状に複数条の切れ目線２０ｂ，２０ｂが設けれ、そして「逆く」の字先端に開口開始手段としての摘み部２０ａが区画形成されている。そして、前記複数条の切れ目線２０ｂ，２０ｂで区画される開口領域の紙製外装体２０の裏面に隠蔽情報３０が設けられている。
【００３１】
上記の紙製外装体２０の材料としては、坪量２００〜４５０ｇ／ｍ２のカード系、コートボール系等の板紙を使用することができる。坪量が、この限度未満であると紙製外装体２０の剛性が低くなり過ぎて、特に高熱時に撓みが大きくなりすぎて充分な断熱性を失い、またこの限度を越えると、剛性は高くなるが、内側折込片２０ｄの折込加工適正が悪化し、材料コストも高くなるので好ましくない。
【００３２】
本発明における隠蔽情報３０としては、文字、数字、ＱＲコード（登録商標）等の２次元バーコードやシリアル情報等が挙げられる。例えば、懸賞応募、真贋判定、流通経路把握、および抽選番号などとして景品提供を行うことで販売促進等に用いることができる。
【００３３】
上記の文字、数字、ＱＲコード（登録商標）等の２次元バーコードやシリアル情報等の隠蔽情報３０は、例えば、通常のインキ組成物を使用してオフセット印刷、グラビア印刷、その他等の通常の印刷方法等によって形成することができる。さらには、インクジェット記録方式により印字することもできる。
【００３４】
本発明における切れ目線２０ｂおよび切れ目線２０ｅ，２０ｆは、ミシン目線もしくはハーフカット線等で形成することができる。通常は、複数条の切れ目線を施す。そして、切れ目線の形状は、直線状、略Ｚ字状、あるいは変形切れ目線であってもよく、その形状は特に特定されるものではない。
【００３５】
次に、隠蔽情報付き容器１Ａを例示して、本発明の隠蔽情報付き容器の製造方法につい
て簡単に説明する。まず、紙製外装体２０用の厚紙の表面には絵柄、表示などの印刷を、裏面には、紙製外装体２０の開口領域、即ち開口した際に視認できる所定の位置に文字、数字、ＱＲコード（登録商標）等の２次元バーコードやシリアル情報等の隠蔽情報３０の印刷を行なう。つぎに、扇状に打ち抜くと共に、前述の摘み部２０ａを含む切れ目線２０ｂの加工も同時に行い、紙製外装体２０のブランク板２０′を作成する。
【００３６】
一方、カップ成形機によって、カップ状の紙製容器本体１０用のブランク板（図示せず）から逆円錐台形状の胴部１０ａを成形し、胴部１０ａの下部を底板１０ｄで巻き締めして底部１０ｃを成形し、上部開口部の周縁を外側にカールさせて外巻開口縁部からなるフランジ部１０ｂを成形し、カップ状の紙製容器本体１０を製造する。
【００３７】
一方において、紙製外装体２０用の内側に折り込む所定の幅の内側折込部２０ｄを延設してなる略扇形状の厚紙からなるブランク板２０′から、内側折込部２０ｄを内側に折り込み逆円錐台形状の紙製外装体２０を成形し、スタッキングしておく。最後に、この紙製外装体２０を成形された紙製容器本体１０に対して両者が互いに当接する、外巻開口縁部からなるフランジ部１１ｂ下端外周壁と前記内側折込部２０ｄと、さらに前記紙製容器本体１０の底部１０ｃ外側周壁と紙製外装体２０の小さい方の開口部端縁で熱接着により貼着して、前記紙製容器本体１０と紙製外装体２０とを一体に組み合わせて紙製外装体２０の内面と紙製容器本体１０の胴部１０ａ外側周壁との間に断熱空間が形成された２層構成の隠蔽情報付き容器が得られる。
【００３８】
上記のように構成された本発明の隠蔽情報付き容器１は、前記紙製外装体２０に形成された前記摘み部２０ａを手指で摘んで開口することにより前記複数条の切れ目線２０ｂ，２０ｂに沿って紙製容器本体１０の開口部方向と底部方向に紙製外装体が漸次広がるように開口し、開口領域２０ｃを形成し、前記紙製外装体２０の裏面に設けられた開口領域２０ｃの隠蔽情報を確認することができる。
【００３９】
そして、本発明の隠蔽情報付き容器は、切れ目線で開口領域を形成したので、紙製外装体を容器本体に安定して貼着して形成することができ、また、容器本体の胴部周壁もしくは紙製外装体の内面に隠蔽情報を設けるので、当たり券等を別途用意する必要もなく、容器内に入れるという作業も排除できる。さらに、開口領域を開口開始部の先端摘み部から切れ目線に沿って容易に開口することができて容器本体の胴部周壁もしくは紙製外装体の内面に設けた隠蔽情報を容易に確認することができ、懸賞応募、真贋判定、流通経路把握、および抽選番号等として景品提供を行うことで販売促進等に用いることができる。さらにまた、本発明隠蔽情報付き容器は、材料に紙を使用することにより、使用後は紙製品として廃棄され、また減容化が容易であるので廃棄処理性が良好であり、さらに、リサイクルも可能であるので、環境負荷の低減に貢献することができる。
【図面の簡単な説明】
【００４０】
【図１】本発明の隠蔽情報付き容器の一参考例を図解的に示すものであって、（ａ）は、紙製外装体の未開口状態を示す外観斜視図である。（ｂ）は、開口開始手段としての摘み部から切れ目線に沿って開口して開口領域を形成し、紙製外装体の開口領域内面に設けた隠蔽情報が容易に視認される紙製外装体の開口状態を示す外観斜視図である。
【図２】図１、３、又は４で示す本発明の隠蔽情報付き容器の参考例又は実施例の図解的に示す断面図である。
【図３】本発明の隠蔽情報付き容器の一実施例を図解的に示すものであって、（ａ）は、紙製外装体の未開口状態を示す外観斜視図である。（ｂ）は、開口開始手段としての摘み部から切れ目線に沿って開口して開口領域を形成し、紙製外装体の開口領域内面に設けた隠蔽情報が容易に視認される紙製外装体の開口状態を示す外観斜視図である。
【図４】本発明の隠蔽情報付き容器のさらに別の実施例を図解的に示すものであって、（ａ）は、紙製外装体の未開口状態を示す外観斜視図である。（ｂ）は、開口開始手段としての摘み部から切れ目線に沿って開口して開口領域を形成し、紙製外装体の開口領域内面に設けた隠蔽情報が容易に視認される紙製外装体の開口状態を示す外観斜視図である。
【図５】図１で示す本発明の隠蔽情報付き容器の一参考例に用いる紙製外装体の展開ブランク板を概略的に示す平面図である。
【図６】隠蔽情報を内面に設けた従来の紙器箱の一例を概略的に示す斜視図である。
【図７】隠蔽情報を内面に設けた従来の軟包装袋の一例を概略的に示す斜視図である。
【図８】隠蔽情報ラベルを貼着した従来の飲料缶の一例を概略的に示す斜視図である。
【図９】隠蔽情報を備えた従来のテッシュペーパー状のくじの一例を概略的に示す斜視図である。
【符号の説明】
【００４１】
１Ａ、１Ｂ、１Ｃ・・・隠蔽情報付き容器
１０・・・紙製容器本体
１０ａ・・・胴部
１０ｂ・・・外巻開口縁部（フランジ部）
１０ｃ・・・底部
１０ｄ・・・底材
２０・・・紙製外装体
２０ａ・・・摘み部
２０ｂ、２０ｅ、２０ｆ・・・切れ目線
２０ｃ・・・紙製外装体の開口部
２０ｄ・・・内側折込片
３０・・・隠蔽情報
２０′・・・紙製外装体用ブランク板
４０・・・紙器箱
５０・・・軟包装袋
６０・・・飲料缶
６０ａ・・・隠蔽情報付きラベル
７０、７０′・・・テッシュペーパー状のくじ
７１・・・テッシュペーパー
７２・・・合成樹脂フィルム
７３・・・開口線
７４・・・表示
７５・・・内面
８６・・・外面
【図２】
0005401780.tif 000002
【図５】
0005401780.tif 000003
【図６】
0005401780.tif 000004
【図７】
0005401780.tif 000005
【図９】
0005401780.tif 000006
【図１】
0005401780.tif 000007
【図３】
0005401780.tif 000008
【図４】
0005401780.tif 000009
【図８】
0005401780.tif 000010